(57)【要約】  【課題】灯具部内に湿気や水が侵入しにくく、たとえ結露や水の侵入があっても外部に容易に排出することの可能な照明器具を提供する。  【解決手段】灯具部２は、ポール３の上端内部に嵌着された本体２１と、内部に円錐面状の反射板２６が配設されたセード２３と、ＬＥＤからなる光源部２８を内包する天板２４から構成される。セード２３の底部における反射板２６の円錐裏面に対向する位置には、セード２３内部で結露、又は侵入した水滴を排出するための水抜き穴２３１が窄設され、セードパッキン２２を介挿することで本体２１に離隔して取着される。【選択図】図１
2010257746.tif 000002
【特許請求の範囲】
【請求項１】
地面に立設された筒状のポールと、前記ポールの上部に設置された灯具部とからなり、前記灯具部から略水平方向に照明光を照射するポール付き照明器具であって、
前記灯具部は、
上部に配設され、略鉛直方向に照明光を照射する光源部と、
前記光源部の下部にあって、拡径しながら下方に延伸し、前記光源からの照明光を略水平方向に反射する略錐面状に形成された反射板と、
を備え、
底部の前記反射板の裏面に対向する位置に、前記灯具部内の水滴を排出するための水抜き穴を有するとともに、
前記ポールに離隔して設置される
ことを特徴とするポール付き照明器具。
【請求項２】
請求項１に記載のポール付き照明器具であって、
前記灯具部は、
前記ポールに、パッキンを介し、離隔して設置される
ことを特徴とするポール付き照明器具。
【発明の詳細な説明】
【技術分野】
【０００１】
本発明は、庭園灯や街路灯など、屋外に設置されるポール付き照明器具に関する。
【背景技術】
【０００２】
従来から、庭園灯や街路灯として、地上に立設されるポール付き照明器具が広く利用されている。このような照明器具は、灯具内の水滴をポール内部に落とすように水抜き穴を設けているものが多い。この場合、風雨に曝されても灯具内に雨水が侵入する心配はないが、ポールが地中に埋設されていることから湿度が高い状態の時が多く、水抜き穴を通して湿気が灯具内に入り、結露して水滴が発生し易く、灯具の電気系に障害を及ぼしたり、照明光に悪影響を与える虞があった（例えば、特許文献１参照）。
【先行技術文献】
【特許文献】
【０００３】
【特許文献１】特開２００４−２４７１５７号公報
【発明の概要】
【発明が解決しようとする課題】
【０００４】
本発明は、上記の事情に鑑みてなされたもので、灯具部内にポール内の湿気や外部からの雨水等が侵入しにくく、たとえ結露や水の侵入があっても外部に容易に排出することができ、電気系及び照明に悪影響を与えることのないポール付き照明器具を提供することを目的とする。
【課題を解決するための手段】
【０００５】
本発明のポール付き照明器具は、地面に立設された筒状のポールと、前記ポールの上部に設置された灯具部とからなり、前記灯具部から略水平方向に照明光を照射するポール付き照明器具であって、前記灯具部は、上部に配設され、略鉛直方向に照明光を照射する光源部と、前記光源部の下部にあって、拡径しながら下方に延伸し、前記光源からの照明光を略水平方向に反射する略錐面状に形成された反射板と、を備え、底部の前記反射板の裏面に対向する位置に、前記灯具部内の水滴を排出するための水抜き穴を有するとともに、前記ポールに離隔して設置されることを特徴とするものである。
【０００６】
この構成により、ポール内の湿気が灯具部に侵入することを抑制できると共に、結露或いは侵入した雨水等による水滴を水抜き穴から外部に容易に排出することが可能となり、灯具部の電気系に障害を及ぼしたり、照明光に影響を与えることを防止できる。
【０００７】
また、本発明は、上記の照明器具において、前記灯具部は、前記ポールに、パッキンを介し、離隔して設置されることを特徴とするものである。
【０００８】
この構成により、ポール内の湿気が灯具部に侵入することをパッキンで遮断でき、灯具部の電気系統に障害を及ぼすことを防止できる。
【発明の効果】
【０００９】
本発明によれば、灯具部内にポール内の湿気や外部からの雨水等が侵入しにくく、たとえ結露や水の侵入があっても外部に容易に排出することができ、電気系及び照明に悪影響を与えることのないポール付き照明器具を提供できる。
【図面の簡単な説明】
【００１０】
【図１】本発明の実施形態に係るポール付き照明器具の概略構成を示す断面図
【図２】本発明の実施形態に係るポール付き照明器具の灯具部の概略構成を示す、斜め下方から見た分解斜視図
【図３】本発明の実施形態に係るポール付き照明器具の灯具部の概略構成を示す、斜め上方から見た分解斜視図
【発明を実施するための形態】
【００１１】
以下、本発明の実施形態に係るポール付き照明器具について、図面を用いて説明する。本発明の実施形態に係るポール付き照明器具は、例えば、地面に立設される庭園灯である。
【００１２】
図１は、本発明の実施形態に係るポール付き照明器具の概略構成を示す断面図であり、図２及び図３は、本発明の実施形態に係るポール付き照明器具の灯具部の概略構成を示す、それぞれ斜め下方と斜め上方から見た分解斜視図である。
【００１３】
図１において、本実施形態のポール付き照明器具１は、周囲に照明光を照射する灯具部２と、下方が地中に埋設され、灯具部２を支承するポール３から構成される。
【００１４】
灯具部２は、ポール３の上端内部に嵌着された本体２１と、本体２１の上部にセードパッキン２２を介挿して取着されたセード２３と、セード２３の上方に嵌着された天板２４とによって外殻部分が形成されている。
【００１５】
ポール３は、例えば円筒状の鋼管であって、外周面は必要に応じ防錆用および装飾用の塗装、或いはメッキが施されている。なお、ポール３の形状としては、円筒状のものに限らず、断面形状が四角形や六角形など多角形の筒状のものであってもよい。また、ポール３の材料としては、鋼管を用いたものに限られるものではなく、塗装およびメッキが不要なステンレス鋼管を用いてもよい。
【００１６】
本体２１には、後述する光源部２８に電力を供給するための電源部２５が備えられており、地中からポール３の内部を経由して配線されたケーブル２５１が接続され、電力が供給される。また、本体２１の頂部には、後述するセード２３の水抜き穴２３１に対応する位置に、図３に示すような水抜き溝２１１が形成されている。この水抜き溝２１１は、セード２３の水抜き穴２３１から滴下する水滴をポール付き照明器具１の外周に誘導して排出するためのものである。
【００１７】
セードパッキン２２は、セード２３を本体２１に弾性的に取り付けるために用いられ、ポリプロピレンやポリエチレン等の硬質樹脂によって、後述するセード２３の水抜き穴２３１に対応する位置に切り欠き２２１を有する円板状に一体成形されている。
【００１８】
セード２３は、例えばアクリルやポリカーボネート等の半透明樹脂、又は乳白ガラスの成形品によって円筒状に形成されており、底部には、後述する反射板２６の円錐面裏側に対向する位置に、１又は複数の水抜き穴２３１が設けられている。この水抜き穴２３１は、セード２３内を外気と呼吸できるようにすると共に、セード２３内部で結露した水滴を本体２１の外部に排出するためのものである。
【００１９】
このように構成されたセード２３は、後述する電源部２８のＬＥＤから放射され、反射板２６で反射された光を拡散して透過し、外部に照射する。
【００２０】
セード２３の内部には、アルミ等の光沢のある金属板から形成され、上部に形成された円盤部分と、円盤部分の首下から拡径しながら下方に延びる円錐面からなる反射板２６が配設される。そして、この反射板２６は、セード２３内部への虫の進入を防ぐための防虫パッキン２７を介してセード２３の底部に固定され、後述する光源部２８のＬＥＤから鉛直方向に放射された光を円錐面部分で略水平方向に反射する。
【００２１】
反射板２６上部の円盤部分には、光源部２８が取着されている。この光源部２８は、基板に実装された複数のＬＥＤからなり、コード２８１を介して本体２１の電源部２５に接続され、ＬＥＤ発光光を反射板２６の円錐面に向けて放射する。なお、コード２８１を通す部分には、セード２３内部の湿気を遮断するためのコードパッキン２８２が介挿されている。
【００２２】
天板２４は、硬質塩ビ樹脂、或いは金属薄板で形成された逆皿状の蓋体であって、外縁がセード２３に嵌着されている。
【００２３】
以上説明したように、このような本発明の実施形態に係るポール付き照明器具によれば、セード２３の底部における反射板２６の円錐面裏側に対向する位置に水抜き穴２３１が窄設され、セードパッキン２２を介挿して本体２１と離隔して取着することで、セード２３の内部が外気と呼吸できるようにすると共に、セード２３内部で結露した水滴を本体２１の外部に誘導して排出させることが可能となる。なお、水抜き穴２３１は、外部から見えにくい位置にあるので、意匠性を損ねることはない。
【００２４】
また、本実施形態のポール付き照明器具は、風雨等に曝されて、たとえ水抜き穴２５から水滴が侵入しても反射板２６のコーンで遮られるので、セード２３内を水密に保つことができ、照明に影響を与えることがない。
【００２５】
更に、光源部２８にコード２８１を通す部分にコードパッキン２８２を介挿することにより、セード２３内部の湿気を遮断することが可能となり、光源部２８の電気系に影響を与えることを防止できる。
【符号の説明】
【００２６】
１  ポール付き照明器具
２  灯具部
３  ポール
２１  本体
２２  セードパッキン
２３  セード
２６  反射板
２８  光源部
２３１  水抜き穴
【図１】
2010257746.tif 000003
【図２】
2010257746.tif 000004
【図３】
2010257746.tif 000005